(57)【要約】      （修正有）【課題】開口部の面積を変えられず、ノズルの体積を増加しない限りコアンダ面を増加させられない問題を解決する送風機を提供する。【解決手段】送風機は、基部と、基部上に設置されるノズルとを含む。ノズル１２は、第一壁面１２２と、第一壁面と並列に組み合わされる第二壁面１２３とを有する。第一壁面及び第二壁面の間には隔壁１３０を有し、隔壁は基部空気流出口を第一及び第二ノズル空気流出口に分ける。第二壁面の第一壁面外縁１２６はループ形状または折り曲げ形状で第一ノズル空気流出口１２８ａに近接し第一コアンダ面１３４ａを形成し、隔壁はループ形状または折り曲げ形状で空気流が流れる方向と反対方向の内側へ折り曲げられ封鎖壁を形成し、または空気流が流れる方向と同方向の外側へ折り曲げられ封鎖壁を形成し、第二ノズル空気流出口１２８ｂに近接し第二コアンダ面１３４ｂを形成する。【選択図】図１
0003213021.tif 000002
【実用新案登録請求の範囲】
【請求項１】
基部と、
ノズルとを含む送風機であって、前記ノズルは前記基部上に設置され、
前記ノズルは、
前記ノズル上に設置される開口部であり、前記基部が放出する空気流を受け取るノズル空気流入口と、
第一壁面と、
前記第一壁面と並列に組み合わされる第二壁面と、
前記第一壁面及び前記第二壁面が並列に組み合わされる一端に設置される第一壁面端と、
前記第一壁面及び前記第二壁面が並列に組み合わされるもう一端に設置される第二壁面端と、
前記第一壁面及び前記第二壁面が一方向へ延伸し並列に組み合わさった壁面の外縁である第一壁面外縁と、
前記第一壁面及び前記第二壁面がもう一方向へ延伸し並列に組み合わさった壁面の外縁である第二壁面外縁と、
前記第一壁面及び前記第二壁面の間に設置される隔壁と、
前記第二壁面の前記第一壁面外縁及び前記隔壁の間に設置される開口部であり、空気流を放出する第一ノズル空気流出口と、
前記第一壁面の前記第一壁面外縁及び前記隔壁の間に設置される開口部であり、空気流を放出する第二ノズル空気流出口とを有し、
前記第二壁面の前記第一壁面外縁はループ形状または折り曲げ形状で折り曲げられ、前記第一ノズル空気流出口に近接しコアンダ効果を得ることができる第一コアンダ面を形成し、
前記隔壁はループ形状または折り曲げ形状で空気流が流れる方向と反対方向の内側へ折り曲げられ封鎖壁を形成し、またはループ形状または折り曲げ形状で空気流が流れる方向と同方向の外側へ折り曲げられ封鎖壁を形成し、前記第二ノズル空気流出口に近接しコアンダ効果を得ることができる第二コアンダ面を形成することを特徴とする送風機。
【請求項２】
前記第二壁面外縁は空気流が流出するのを阻止する封鎖壁または空気流の通過に供する開放された開口部であることを特徴とする請求項１に記載の送風機。
【請求項３】
前記第二壁面は、空気流が流入するのを阻止するためループ形状または折り曲げ形状で空気流が流れる方向と反対方向の内側へ折り曲げられ封鎖壁を形成し、またはループ形状または折り曲げ形状で空気流が流れる方向と同方向の外側へ折り曲げられ、前記第一ノズル空気流出口に近接しコアンダ効果を得ることができる第一コアンダ面を形成することを特徴とする請求項１に記載の送風機。
【請求項４】
前記第二壁面端は前記第一壁面端と接合され、中央面積の大部分が中空で、光を通過させ、空気流を流通させる環状の中空構造を形成することを特徴とする請求項１に記載の送風機。
【請求項５】
前記第二壁面端は空気流が流通するのを阻止する第二密閉壁を有し、前記第一壁面端は空気流が流通するのを阻止する第一密閉壁を有することを特徴とする請求項１に記載の送風機。
【請求項６】
前記ノズル空気流入口は前記第一壁面または前記第二壁面上に１または複数個設置されることを特徴とする請求項１に記載の送風機。
【請求項７】
前記第一壁面の前記第一壁面外縁及び前記隔壁の間にテーパー状の前記第二ノズル空気流出口を形成し、前記第二壁面の前記第一壁面外縁及び前記隔壁の間にテーパー状の前記第一ノズル空気流出口を形成することを特徴とする請求項１に記載の送風機。
【請求項８】
前記第一壁面の前記第一壁面外縁及び前記隔壁の間に矩形スリット状の前記第二ノズル空気流出口を形成し、前記第二壁面の前記第一壁面外縁及び前記隔壁の間に矩形スリット状の前記第一ノズル空気流出口を形成することを特徴とする請求項１に記載の送風機。
【請求項９】
前記第一ノズル空気流出口または前記第二ノズル空気流出口は複数の隔離板により複数の空間に分け隔てられることを特徴とする請求項１に記載の送風機。
【請求項１０】
前記隔壁を複数個設置することで複数個の前記第二コアンダ面及び複数個の前記第二ノズル空気流出口を形成することを特徴とする請求項１に記載の送風機。
【請求項１１】
前記第二壁面上に空気流の流れを案内する方向へガイドするディフューザ面を有することを特徴とする請求項１に記載の送風機。
【請求項１２】
前記第一壁面の前記第二壁面外縁はループ形状または折り曲げ形状で折り曲げられ第三密閉壁を形成し、前記第三密閉壁は前記第二壁面に接着され、空気流が流出するのを阻止することを特徴とする請求項１に記載の送風機。
【請求項１３】
前記第二壁面の前記第二壁面外縁はループ形状または折り曲げ形状で折り曲げられ第三密閉壁を形成し、前記第三密閉壁は前記第一壁面に接着され、空気流が流出するのを阻止することを特徴とする請求項１に記載の送風機。
【請求項１４】
前記ノズルは第三密閉壁を有し、前記第三密閉壁の両側はそれぞれ前記第一壁面及び前記第二壁面と接着され、空気流が流出するのを阻止することを特徴とする請求項１に記載の送風機。
【請求項１５】
前記基部は、空気流を吸入し放出する内部ファンと、吸入される空気流の入口である基部空気流入口と、放出される空気流の出口である基部空気流出口とを含むことを特徴とする請求項１に記載の送風機。
【請求項１６】
前記内部ファンはシロッコファン、軸流ファンまたはインペラファンであることを特徴とする請求項１５に記載の送風機。
【請求項１７】
前記内部ファンは複数個が相互に並列または直列で接続された軸流ファンであることを特徴とする請求項１５に記載の送風機。
【請求項１８】
前記基部はその中にフィルタを有することを特徴とする請求項１に記載の送風機。
【考案の詳細な説明】
【技術分野】
【０００１】
本考案は、送風機に関し、特に、コアンダ効果を利用し、最後に放出される空気流全体の流量を増量させる送風機に関する。
【背景技術】
【０００２】
一般的な送風機は羽根があるため、光を阻害する、洗浄が容易でない、携帯に適さない、車上で使用するには場所を取りすぎるといった問題がある。
【０００３】
米国特許第２，４８８，４６７号では既知の羽根無しの送風機が開示されているが、コアンダ面が無く、コアンダ効果を得ることができないため、環境気流を同伴することが難しく、最後に放出される空気流全体の流量を増量させ難い問題がある。また、既知の羽根無しの送風機にはディフューザ面が無いため、空気流の流れる方向をガイドすることができず、送風効率を引き出し難い問題がある。
【考案の概要】
【考案が解決しようとする課題】
【０００４】
一般的にコアンダ面がある羽根無しの送風機は、空気流を放出する開口部の面積を変えられず、ノズルの体積を増加しない限りコアンダ面を増加させられないため、解決する必要がある。
【課題を解決するための手段】
【０００５】
上記課題を解決するために、本考案は
基部と、
ノズルとを含む送風機であって、前記ノズルは前記基部上に設置され、
前記ノズルは、
前記ノズル上に設置される開口部であり、前記基部が放出する空気流を受け取るノズル空気流入口と、
第一壁面と、
前記第一壁面と並列に組み合わされる第二壁面と、
前記第一壁面及び前記第二壁面が並列に組み合わされる一端に設置される第一壁面端と、
前記第一壁面及び前記第二壁面が並列に組み合わされるもう一端に設置される第二壁面端と、
前記第一壁面及び前記第二壁面が一方向へ延伸し並列に組み合わさった壁面の外縁である第一壁面外縁と、
前記第一壁面及び前記第二壁面がもう一方向へ延伸し並列に組み合わさった壁面の外縁である第二壁面外縁と、
前記第一壁面及び前記第二壁面の間に設置される隔壁と、
前記第二壁面の前記第一壁面外縁及び前記隔壁の間に設置される開口部であり、空気流を放出する第一ノズル空気流出口と、
前記第一壁面の前記第一壁面外縁及び前記隔壁の間に設置される開口部であり、空気流を放出する第二ノズル空気流出口とを有し、
前記第二壁面の前記第一壁面外縁はループ形状または折り曲げ形状で折り曲げられ、前記第一ノズル空気流出口に近接しコアンダ効果を得ることができる第一コアンダ面を形成し、
前記隔壁はループ形状または折り曲げ形状で空気流が流れる方向と反対方向の内側へ折り曲げられ封鎖壁を形成し、またはループ形状または折り曲げ形状で空気流が流れる方向と同方向の外側へ折り曲げられ封鎖壁を形成し、前記第二ノズル空気流出口に近接しコアンダ効果を得ることができる第二コアンダ面を形成することを特徴とする送風機が提供される。
【０００６】
さらに、本考案において、前記第二壁面外縁は空気流が流出するのを阻止する封鎖壁または空気流の通過に供する開放された開口部であることが好ましい。
【０００７】
さらに、本考案において、前記第二壁面は、空気流が流入するのを阻止するためループ形状または折り曲げ形状で空気流が流れる方向と反対方向の内側へ折り曲げられ封鎖壁を形成し、またはループ形状または折り曲げ形状で空気流が流れる方向と同方向の外側へ折り曲げられ、前記第一ノズル空気流出口に近接しコアンダ効果を得ることができる第一コアンダ面を形成することが好ましい。
【０００８】
さらに、本考案において、前記第二壁面端は前記第一壁面端と接合され、中央面積の大部分が中空で、光を通過させ、空気流を流通させる環状の中空構造を形成することが好ましい。
【０００９】
さらに、本考案において、前記第二壁面端は空気流が流通するのを阻止する第二密閉壁を有し、前記第一壁面端は空気流が流通するのを阻止する第一密閉壁を有することが好ましい。
【００１０】
さらに、本考案において、前記ノズル空気流入口は前記第一壁面または前記第二壁面上に１または複数個設置されることが好ましい。
【００１１】
さらに、本考案において、前記第一壁面の前記第一壁面外縁及び前記隔壁の間にテーパー状の前記第二ノズル空気流出口を形成し、前記第二壁面の前記第一壁面外縁及び前記隔壁の間にテーパー状の前記第一ノズル空気流出口を形成することが好ましい。
【００１２】
さらに、本考案において、前記第一壁面の前記第一壁面外縁及び前記隔壁の間に矩形スリット状の前記第二ノズル空気流出口を形成し、前記第二壁面の前記第一壁面外縁及び前記隔壁の間に矩形スリット状の前記第一ノズル空気流出口を形成することが好ましい。
【００１３】
さらに、本考案において、前記第一ノズル空気流出口または前記第二ノズル空気流出口は複数の隔離板により複数の空間に分け隔てられることが好ましい。
【００１４】
さらに、本考案において、前記隔壁を複数個設置することで複数個の前記第二コアンダ面及び複数個の前記第二ノズル空気流出口を形成することが好ましい。
【００１５】
さらに、本考案において、前記第二壁面上に空気流の流れを案内する方向へガイドするディフューザ面を有することが好ましい。
【００１６】
さらに、本考案において、前記第一壁面の前記第二壁面外縁はループ形状または折り曲げ形状で折り曲げられ第三密閉壁を形成し、前記第三密閉壁は前記第二壁面に接着され、空気流が流出するのを阻止することが好ましい。
【００１７】
さらに、本考案において、前記第二壁面の前記第二壁面外縁はループ形状または折り曲げ形状で折り曲げられ第三密閉壁を形成し、前記第三密閉壁は前記第一壁面に接着され、空気流が流出するのを阻止することが好ましい。
【００１８】
さらに、本考案において、前記ノズルは第三密閉壁を有し、前記第三密閉壁の両側はそれぞれ前記第一壁面及び前記第二壁面と接着され、空気流が流出するのを阻止することが好ましい。
【００１９】
さらに、本考案において、前記基部は、空気流を吸入し放出する内部ファンと、吸入される空気流の入口である基部空気流入口と、放出される空気流の出口である基部空気流出口とを含むことが好ましい。
【００２０】
さらに、本考案において、前記内部ファンはシロッコファン、軸流ファンまたはインペラファンであることが好ましい。
【００２１】
さらに、本考案において、前記内部ファンは複数個が相互に並列または直列で接続された軸流ファンであることが好ましい。
【００２２】
さらに、本考案において、前記基部はその中にフィルタを有することが好ましい。
【００２３】
そこで、本考案は、既知のコアンダ面がある羽根無しの送風機が、開口部の面積を変えられず、ノズルの体積を増加せざるを得ない問題を解決することを課題とする。
【考案の効果】
【００２４】
本考案によれば、既知のコアンダ面がある羽根無しの送風機が、開口部の面積を変えられず、ノズルの体積を増加しない限りコアンダ面を増加させられない問題を解決することができる。
【図面の簡単な説明】
【００２５】
【図１】本考案に係るノズルの第１実施例を示す部分説明図である。
【図２】本考案に係るノズルの第２実施例を示す部分説明図である。
【図３】本考案の第１実施形態に係る送風機の示す正面図である。
【図４】本考案の第１実施形態に係る送風機を示す断面図である。
【図５】本考案の第２実施形態に係る送風機の示す斜視図である。
【図６】本考案の第２実施形態に係る送風機を示す断面図である。
【図７】本考案の第３実施形態に係る送風機の示す斜視図である。
【図８】本考案の第３実施形態に係る送風機を示す断面図である。
【図９】本考案の第４実施形態に係る送風機の示す斜視図である。
【図１０】本考案の第４実施形態に係る送風機を示す断面図である。
【図１１】本考案に係るシロッコファンの実施例を示す説明図である。
【図１２】本考案に係る軸流ファンの実施例を示す説明図である。
【図１３】本考案に係るインペラファンの実施例を示す説明図である。
【考案を実施するための形態】
【００２６】
以下、本考案に係るノズルの２つの異なる実施例について説明する。
【００２７】
本考案に係るノズルの第１実施例について、図１を用いて説明する。図１は本考案に係るノズルの第１実施例を示す部分説明図である。
【００２８】
ノズル１２は基部上に設置され、吸入する空気流の範囲を拡大する。ノズル１２は、ノズル空気流入口１２１と、第一壁面１２２と、第二壁面１２３と、第一壁面端１２４と、第二壁面端１２５と、第一壁面外縁１２６と、第二壁面外縁１２７と、第一ノズル空気流出口１２８ａと、第二ノズル空気流出口１２８ｂと、ディフューザ面１２９と、第三密閉壁１３３と、隔壁１３０とを含む。
【００２９】
ノズル空気流入口１２１はノズル１２上に設置される開口部であり、前記基部が放出する空気流を受け取る。ノズル空気流入口１２１は第一壁面１２２または第二壁面１２３上に１または複数個設置される。第一壁面１２２及び第二壁面１２３は並列に組み合わされる。第一壁面端１２４は第一壁面１２２及び第二壁面１２３が並列に組み合わされる一端に設置され、第二壁面端１２５は第一壁面１２２及び第二壁面１２３が並列に組み合わされるもう一端に設置される。第一壁面外縁１２６は、第一壁面１２２及び第二壁面１２３が一方向へ延伸し並列に組み合わさった壁面の外縁である。第二壁面外縁１２７は、第一壁面１２２及び第二壁面１２３がもう一方向へ延伸し並列に組み合わさった壁面の外縁である。本実施例において、第二壁面外縁１２７は空気流が流出するのを阻止する封鎖面である。別の実施例において、第一壁面１２２の第二壁面外縁１２７はループ形状または折り曲げ形状で折り曲げられ第三密閉壁１３３を形成し、第三密閉壁１３３は第二壁面１２３に接着され、空気流が流出するのを阻止する。さらに別の実施例において、第二壁面１２３の第二壁面外縁１２７はループ形状または折り曲げ形状で折り曲げられ第三密閉壁１３３を形成し、第三密閉壁１３３は第二壁面１２３に接着され、空気流が流出するのを阻止する。隔壁１３０は第一壁面１２２及び第二壁面１２３の間に設置される。別の実施形態において、ノズル１２は第三密閉壁１３３を含む。第三密閉壁１３３の両側はそれぞれ第一壁面１２２及び第二壁面１２３と接着され、空気流が流出するのを阻止する。第一ノズル空気流出口１２８ａは第二壁面１２３の第一壁面外縁１２６及び隔壁１３０の間に設置されるテーパー状の開口部であり、空気流を放出する。別の実施形態において、第一ノズル空気流出口１２８ａは矩形スリット状の開口部である。第二ノズル空気流出口１２８ｂは第一壁面１２２の第一壁面外縁１２６及び隔壁１３０の間に設置されるテーパー状の開口部であり、空気流を放出する。別の実施形態において、第二ノズル空気流出口１２８ｂは矩形スリット状の開口部である。ディフューザ面１２９は第二壁面１２３により形成され、空気流の流れを案内する方向へガイドする。
【００３０】
第二壁面１２３の第一壁面外縁１２６はループ形状または折り曲げ形状で折り曲げられ、第一ノズル空気流出口１２８ａに近接しコアンダ効果を得ることができる第一コアンダ面１３４ａを形成し、最後に放出される空気流全体の流量を増量させ、ノズル全体の体積を縮小することが可能である。隔壁１３０は空気流が流入するのを阻止するため、ループ形状または折り曲げ形状で空気流が流れる方向と反対方向の内側へ折り曲げられ封鎖壁を形成し、第二ノズル空気流出口１２８ｂに近接しコアンダ効果を得ることができる第二コアンダ面１３４ｂを形成し、最後に放出される空気流全体の流量を増量させる。これにより、開口部の面積及びノズルの体積を変えずに、コアンダ面の面積を増加させ、コアンダ効果をより高め、最後に放出される空気流全体の流量を増量させることが可能である。別の実施形態において、隔壁１３０はループ形状または折り曲げ形状で空気流が流れる方向と同方向の外側へ折り曲げられ封鎖壁を形成し、第二コアンダ面１３４ｂを形成する。
【００３１】
本考案に係るノズルの第２実施例について、図２を用いて説明する。図２は本考案に係るノズルの第２実施例を示す部分説明図である。
【００３２】
ノズル２２は基部上に設置され、吸入する空気流の範囲を拡大する。ノズル２２は、ノズル空気流入口２２１と、第一壁面２２２と、第二壁面２２３と、第一壁面端２２４と、第二壁面端２２５と、第一壁面外縁２２６と、第二壁面外縁２２７と、第一ノズル空気流出口２２８ａと、第二ノズル空気流出口２２８ｂと、ディフューザ面２２９と、第三密閉壁２３３と、隔壁２３０とを含む。
【００３３】
ノズル空気流入口２２１はノズル２２上に設置される開口部であり、前記基部が放出する空気流を受け取る。第一壁面２２２及び第二壁面２２３は並列に組み合わされる。第一壁面端２２４は第一壁面２２２及び第二壁面２２３が並列に組み合わされる一端に設置され、第二壁面端２２５は第一壁面２２２及び第二壁面２２３が並列に組み合わされるもう一端に設置される。第一壁面外縁２２６は、第一壁面２２２及び第二壁面２２３が一方向へ延伸し並列に組み合わさった壁面の外縁である。第二壁面外縁２２７は、第一壁面２２２及び第二壁面２２３がもう一方向へ延伸し並列に組み合わさった壁面の外縁である。第二壁面外縁２２７は空気流が流出するのを阻止する封鎖面である。隔壁２３０は第一壁面２２２及び第二壁面２２３の間に設置される。第一ノズル空気流出口２２８ａは第二壁面２２３の第一壁面外縁２２６及び隔壁２３０の間に設置されるテーパー状の開口部であり、空気流を放出する。第二ノズル空気流出口２２８ｂは第一壁面２２２の第一壁面外縁２２６及び隔壁２３０の間に設置されるテーパー状の開口部であり、空気流を放出する。ディフューザ面２２９は第二壁面２２３により形成され、空気流の流れを案内する方向へガイドする。
【００３４】
第二壁面２２３の第一壁面外縁２２６は空気流が流入するのを阻止するため、ループ形状または折り曲げ形状で空気流が流れる方向と反対方向の内側へ折り曲げられ封鎖壁を形成し、第一ノズル空気流出口２２８ａに近接しコアンダ効果を得ることができる第一コアンダ面２３４ａを形成する。これにより、最後に放出される空気流全体の流量を増量させ、ノズル全体の体積を縮小することが可能である。別の実施形態において、第二壁面２２３はループ形状または折り曲げ形状で空気流が流れる方向と同方向の外側へ折り曲げられ第一コアンダ面（図示せず）を形成する。隔壁２３０は空気流が流入するのを阻止するため、ループ形状または折り曲げ形状で空気流が流れる方向と反対方向の内側へ折り曲げられ封鎖壁を形成し、第二ノズル空気流出口２２８ｂに近接しコアンダ効果を得ることができる第二コアンダ面２３４ｂを形成し、最後に放出される空気流全体の流量を増量させる。これにより、開口部の面積及びノズルの体積を変えずに、コアンダ面の面積を増加させ、コアンダ効果をより高め、最後に放出される空気流全体の流量を増量させることが可能である。別の実施形態において、隔壁２３０はループ形状または折り曲げ形状で空気流が流れる方向と同方向の外側へ折り曲げられ封鎖壁を形成し、第二コアンダ面（図示せず）を形成する。
【００３５】
本考案の第１実施形態について、図３乃至図４を用いて説明する。図３は本考案の第１実施形態に係る送風機の示す正面図である。図４は本考案の第１実施形態に係る送風機を示す断面図である。
【００３６】
本実施形態に係る送風機３０は、基部３１と、ノズル３２とを含む。
【００３７】
基部３１は、空気流を吸入し放出する内部ファン３１１と、吸入される空気流の入口である基部空気流入口３１２と、放出される空気流の出口である基部空気流出口３１３とを含む。
【００３８】
ノズル３２は基部３１上に設置される。ノズル３２は中央面積の大部分が中空となっており、光を通過させ、空気流を流通させ、吸入する空気流の範囲を拡大する。ノズル３２は、ノズル空気流入口３２１と、第一壁面３２２と、第二壁面３２３と、第一壁面外縁３２６と、第二壁面外縁３２７と、隔壁３３０と、第一ノズル空気流出口３２８ａと、第二ノズル空気流出口３２８ｂと、ディフューザ面３２９とを含む。ノズル空気流入口３２１はノズル３２上に設置される開口部であり、基部空気流出口３１３が放出する空気流を受け取る。第一壁面３２２及び第二壁面３２３は並列に組み合わされる。本実施例において、第二壁面端は第一壁面端と接合されることで、中央面積の大部分が中空となり、光を通過させ、空気流を流通させる環状の中空構造を形成する。第一壁面外縁３２６は、第一壁面３２２及び第二壁面３２３が一方向へ延伸し並列に組み合わさった壁面の外縁である。第二壁面外縁３２７は、第一壁面３２２及び第二壁面３２３がもう一方向へ延伸し並列に組み合わさった壁面の外縁であり、第二壁面外縁３２７は空気流が流出するのを阻止する封鎖面である。隔壁３３０は第一壁面３２２及び第二壁面３２３の間に設置される。第一ノズル空気流出口３２８ａは第二壁面３２３の第一壁面外縁３２６と隔壁３３０の間に設置される。第二ノズル空気流出口３２８ｂは第一壁面３２２の第一壁面外縁３２６と隔壁３３０の間に設置される。別の実施形態において、第一ノズル空気流出口３２８ａまたは第二ノズル空気流出口３２８ｂは複数の隔離板３３５により複数の空間に分け隔てられ、また、隔壁３３０は隔離板３３５により支えられている。ディフューザ面３２９は空気流の流れを案内する方向へガイドする。第二壁面３２３の第一壁面外縁はループ形状または折り曲げ形状で折り曲げられ第一コアンダ面３３４ａを形成し、第一ノズル空気流出口３２８ａに近接し、コアンダ効果を得ることができ、最後に放出される空気流全体の流量を増量させることが可能である。隔壁３３０は第一壁面３２２及び第二壁面３２３の間に設置され、隔壁３３０はループ形状または折り曲げ形状で空気流が流れる方向と反対方向の内側へ折り曲げられ封鎖壁を形成し、またはループ形状または折り曲げ形状で空気流が流れる方向と同方向の外側へ折り曲げられ封鎖壁を形成し、これにより第二コアンダ面３３４ｂを形成し、第二ノズル空気流出口３２８ｂに近接し、コアンダ効果を得ることができ、最後にディフューザ面３２９を利用し空気流の流れを案内する方向へガイドする。
【００３９】
本考案の第２実施形態について、図５乃至図６を用いて説明する。図５は本考案の第２実施形態に係る送風機の示す斜視図である。図６は本考案の第２実施形態に係る送風機を示す断面図である。
【００４０】
本実施形態に係る送風機４０は、基部４１と、ノズル４２とを含む。
【００４１】
基部４１は、空気流を吸入し放出する内部ファン４１１と、吸入される空気流の入口である基部空気流入口４１２と、放出される空気流の出口である基部空気流出口４１３とを含む。
【００４２】
ノズル４２は基部４１上に設置される。ノズル４２は中央面積の大部分が中空となっており、光を通過させ、空気流を流通させ、吸入する空気流の範囲を拡大する。ノズル４２は、ノズル空気流入口４２１と、第一壁面４２２と、第二壁面４２３と、第一壁面端４２４と、第二壁面端４２５と、第一壁面外縁４２６と、第二壁面外縁４２７と、隔壁４３０と、第一ノズル空気流出口４２８ａと、第二ノズル空気流出口４２８ｂと、ディフューザ面４２９とを含む。ノズル空気流入口４２１はノズル４２上に設置される開口部であり、基部空気流出口４１３が放出する空気流を受け取る。第一壁面４２２及び第二壁面４２３は並列に組み合わされる。第一壁面端４２４は第一壁面４２２及び第二壁面４２３が並列に組み合わされる一端に設置され、第二壁面端４２５は第一壁面４２２及び第二壁面４２３が並列に組み合わされるもう一端に設置される。本実施例において、第二壁面端４２５は空気流が流通するのを阻止する第二密閉壁４２５１を有し、第一壁面端４２４は空気流が流通するのを阻止する第一密閉壁４２４ １を有する。第一壁面外縁４２６は、第一壁面４２２及び第二壁面４２３が一方向へ延伸し並列に組み合わさった壁面の外縁である。第二壁面外縁４２７は、第一壁面４２２及び第二壁面４２３がもう一方向へ延伸し並列に組み合わさった壁面の外縁であり、本実施例において、第二壁面外縁４２７は空気流の通過に供する開放された開口部である。隔壁４３０は第一壁面４２２及び第二壁面４２３の間に設置される。第一ノズル空気流出口４２８ａは第二壁面４２３の第一壁面外縁４２６と隔壁４３０の間に設置される。第二ノズル空気流出口４２８ｂは第一壁面４２２の第一壁面外縁４２６と隔壁４３０の間に設置される。ディフューザ面４２９は空気流の流れを案内する方向へガイドする。第二壁面４２３の第一壁面外縁４２６はループ形状または折り曲げ形状で折り曲げられ第一コアンダ面４３４ａを形成し、第一ノズル空気流出口４２８ａに近接し、コアンダ効果を得ることができ、最後に放出される空気流全体の流量を増量させることが可能である。隔壁４３０は第一壁面４２２及び第二壁面４２３の間に設置され、隔壁４３０はループ形状または折り曲げ形状で空気流が流れる方向と反対方向の内側へ折り曲げられ封鎖壁を形成し、またはループ形状または折り曲げ形状で空気流が流れる方向と同方向の外側へ折り曲げられ封鎖壁を形成し、これにより第二コアンダ面４３４ｂを形成し、第二ノズル空気流出口４２８ｂに近接し、コアンダ効果を得ることができ、最後にディフューザ面４２９を利用し空気流の流れを案内する方向へガイドする。
【００４３】
本考案の第３実施形態について、図７乃至図８を用いて説明する。図７は本考案の第３実施形態に係る送風機の示す斜視図である。図８は本考案の第３実施形態に係る送風機を示す断面図である。
【００４４】
本実施形態に係る送風機５０は、基部５１と、ノズル５２とを含む。
【００４５】
基部５１は、空気流を吸入し放出する複数の内部ファン５１１と、吸入される空気流の入口である基部空気流入口５１２と、放出される空気流の出口である基部空気流出口５１３と、フィルタ５１４とを含む。内部ファン５１１は並列に接続された軸流ファンである。フィルタ５１４は基部５１内に設置され、基部空気流入口５１２から入る空気流を濾過する。
【００４６】
ノズル５２は基部５１上に設置され、吸入する空気流の範囲を拡大する。ノズル５２は、ノズル空気流入口５２１と、第一壁面５２２と、第二壁面５２３と、第一壁面端５２４と、第二壁面端５２５と、第一壁面外縁５２６と、第二壁面外縁５２７と、隔壁５３０と、第一ノズル空気流出口５２８ａと、第二ノズル空気流出口５２８ｂと、ディフューザ面５２９とを含む。ノズル空気流入口５２１はノズル５２上に設置される開口部であり、基部空気流出口５１３が放出する空気流を受け取る。第一壁面５２２及び第二壁面５２３は並列に組み合わされる。第一壁面端５２４は第一壁面５２２及び第二壁面５２３が並列に組み合わされる一端に設置され、第二壁面端５２５は第一壁面５２２及び第二壁面５２３が並列に組み合わされるもう一端に設置される。本実施例において、第二壁面端５２５は空気流が流通するのを阻止する第二密閉壁（図示せず）を有し、第一壁面端５２４は空気流が流通するのを阻止する第一密閉壁５２４１を有する。第一壁面外縁５２６は、第一壁面５２２及び第二壁面５２３が一方向へ延伸し並列に組み合わさった壁面の外縁である。第二壁面外縁５２７は、第一壁面５２２及び第二壁面５２３がもう一方向へ延伸し並列に組み合わさった壁面の外縁であり、第二壁面外縁５２７は空気流が流出するのを阻止する封鎖面である。隔壁５３０は第一壁面５２２及び第二壁面５２３の間に設置される。第一ノズル空気流出口５２８ａは第二壁面５２３の第一壁面外縁５２６と隔壁５３０の間に設置される。第二ノズル空気流出口５２８ｂは第一壁面５２２の第一壁面外縁５２６と隔壁５３０の間に設置される。ディフューザ面５２９は空気流の流れを案内する方向へガイドする。第二壁面５２３の第一壁面外縁５２６はループ形状または折り曲げ形状で折り曲げられ第一コアンダ面５３４ａを形成し、第一ノズル空気流出口５２８ａに近接し、コアンダ効果を得ることができ、最後に放出される空気流全体の流量を増量させることが可能である。隔壁５３０は第一壁面５２２及び第二壁面５２３の間に設置され、ループ形状または折り曲げ形状で折り曲げられ第二コアンダ面５３４ｂを形成し、第二ノズル空気流出口５２８ｂに近接し、コアンダ効果を得ることができ、最後にディフューザ面５２９を利用し空気流の流れを案内する方向へガイドする。別の実施形態において、隔壁５３０はループ形状または折り曲げ形状で空気流が流れる方向と反対方向の内側へ折り曲げられ封鎖壁を形成し、またはループ形状または折り曲げ形状で空気流が流れる方向と同方向の外側へ折り曲げられ封鎖壁を形成し、これにより複数の第二コアンダ面５３４ｂと複数の第二ノズル空気流出口５２８ｂを形成する。
【００４７】
本考案の第４実施形態について、図９乃至図１０を用いて説明する。図９は本考案の第４実施形態に係る送風機の示す斜視図である。図１０は本考案の第４実施形態に係る送風機を示す断面図である。
【００４８】
本実施形態に係る送風機６０は、基部６１と、複数のノズル６２とを含む。
【００４９】
基部６１は、空気流を吸入し放出する複数の内部ファン６１１と、吸入される空気流の入口である基部空気流入口６１２と、放出される空気流の出口である基部空気流出口６１３とを含む。内部ファン６１１は直列に接続された軸流ファンである。
【００５０】
ノズル６２は基部６１上に複数設置される。ノズル６２は中央面積の大部分が中空となっており、光を通過させ、空気流を流通させ、吸入する空気流の範囲を拡大する。ノズル６２は、ノズル空気流入口６２１と、第一壁面６２２と、第二壁面６２３と、第一壁面外縁６２６と、第二壁面外縁６２７と、隔壁６３０と、第一ノズル空気流出口６２８ａと、第二ノズル空気流出口６２８ｂと、ディフューザ面６２９とを含む。ノズル空気流入口６２１はノズル６２上に設置される開口部であり、基部空気流出口６１３が放出する空気流を受け取る。第一壁面６２２及び第二壁面６２３は並列に組み合わされる。本実施例において、第二壁面端は第一壁面端と接合されることで、中央面積の大部分が中空となり、光を通過させ、空気流を流通させる環状の中空構造を形成する。第一壁面外縁６２６は、第一壁面６２２及び第二壁面６２３が一方向へ延伸し並列に組み合わさった壁面の外縁である。第二壁面外縁６２７は、第一壁面６２２及び第二壁面６２３がもう一方向へ延伸し並列に組み合わさった壁面の外縁であり、第二壁面外縁６２７は空気流が流出するのを阻止する封鎖面である。隔壁６３０は第一壁面６２２及び第二壁面６２３の間に設置される。第一ノズル空気流出口６２８ａは第二壁面６２３の第一壁面外縁６２６と隔壁６３０の間に設置される。第二ノズル空気流出口６２８ｂは第一壁面６２２の第一壁面外縁６２６と隔壁６３０の間に設置される。ディフューザ面６２９は空気流の流れを案内する方向へガイドする。第二壁面６２３の第一壁面外縁６２６はループ形状または折り曲げ形状で折り曲げられ第一コアンダ面６３４ａを形成し、第一ノズル空気流出口６２８ａに近接し、コアンダ効果を得ることができ、最後に放出される空気流全体の流量を増量させることが可能である。隔壁６３０は第一壁面６２２及び第二壁面６２３の間に設置され、ループ形状または折り曲げ形状で空気流が流れる方向と反対方向の内側へ折り曲げられ封鎖壁を形成し、またはループ形状または折り曲げ形状で空気流が流れる方向と同方向の外側へ折り曲げられ封鎖壁を形成し、これにより第二コアンダ面６３４ｂを形成し、第二ノズル空気流出口６２８ｂに近接し、コアンダ効果を得ることができ、最後にディフューザ面６２９を利用し空気流の流れを案内する方向へガイドする。
【００５１】
図１１は本考案に係るシロッコファンの実施例を示す説明図である。シロッコファン７０は空気流を吸入し、放出する。シロッコファン７０は、シロッコファン空気流出口７１と、シロッコファン空気流入口７２と、シロッコファン動翼７３と、シロッコファンモーター７４とを含む。
【００５２】
図１２は本考案に係る軸流ファンの実施例を示す説明図である。軸流ファン８０は空気流を吸入し、放出する。軸流ファン８０は、軸流ファン空気流出口８１と、軸流ファン空気流入口８２と、軸流ファン動翼８３と、軸流ファンモーター８４とを含む。
【００５３】
図１３は本考案に係るインペラファンの実施例を示す説明図である。インペラファン９０は空気流を吸入し、放出する。インペラファン９０は、インペラファン空気流出口９１と、インペラファン空気流入口９２と、インペラファン動翼９３と、インペラファンモーター９４とを含む。
【００５４】
本考案の送風機は、既知のコアンダ面がある羽根無しの送風機が、開口部の面積を変えられず、コアンダ面を増やすためにノズルの体積を増加せざるを得ない問題を解決することができる。
【００５５】
本考案の送風機は産業上の利用性を備えている。上述において、本考案の説明の利便性のために最良の実施例を挙げて説明したが、これらの実施例は本考案の請求の範囲を限定するものではなく、本考案に基づく本考案の要旨を逸脱しないあらゆる変更は本考案の請求の範囲に含まれる。
【符号の説明】
【００５６】
１２      ノズル
１２１    ノズル空気流入口
１２２    第一壁面
１２３    第二壁面
１２４    第一壁面端
１２５    第二壁面端
１２６    第一壁面外縁
１２７    第二壁面外縁
１２８ａ  第一ノズル空気流出口
１２８ｂ  第二ノズル空気流出口
１２９    ディフューザ面
１３０    隔壁
１３３    第三密閉壁
１３４ａ  第一コアンダ面
１３４ｂ  第二コアンダ面
２２      ノズル
２２１    ノズル空気流入口
２２２    第一壁面
２２３    第二壁面
２２４    第一壁面端
２２５    第二壁面端
２２６    第一壁面外縁
２２７    第二壁面外縁
２２８ａ  第一ノズル空気流出口
２２８ｂ  第二ノズル空気流出口
２２９    ディフューザ面
２３０    隔壁
２３３    第三密閉壁
２３４ａ  第一コアンダ面
２３４ｂ  第二コアンダ面
３０      送風機
３１      基部
３１１    内部ファン
３１２    基部空気流入口
３１３    基部空気流出口
３２      ノズル
３２１    ノズル空気流入口
３２２    第一壁面
３２３    第二壁面
３２６    第一壁面外縁
３２７    第二壁面外縁
３２８ａ  第一ノズル空気流出口
３２８ｂ  第二ノズル空気流出口
３２９    ディフューザ面
３３０    隔壁
３３４ａ  第一コアンダ面
３３４ｂ  第二コアンダ面
３３５    隔離板
４０      送風機
４１      基部
４１１    内部ファン
４１２    基部空気流入口
４１３    基部空気流出口
４２      ノズル
４２１    ノズル空気流入口
４２２    第一壁面
４２３    第二壁面
４２４    第一壁面端
４２４１  第一密閉壁
４２５    第二壁面端
４２５１  第二密閉壁
４２６    第一壁面外縁
４２７    第二壁面外縁
４２８ａ  第一ノズル空気流出口
４２８ｂ  第二ノズル空気流出口
４２９    ディフューザ面
４３０    隔壁
４３４ａ  第一コアンダ面
４３４ｂ  第二コアンダ面
５０      送風機
５１      基部
５１１    内部ファン
５１２    基部空気流入口
５１３    基部空気流出口
５１４    フィルタ
５２      ノズル
５２１    ノズル空気流入口
５２２    第一壁面
５２３    第二壁面
５２４    第一壁面端
５２４１  第一密閉壁
５２５    第二壁面端
５２６    第一壁面外縁
５２７    第二壁面外縁
５２８ａ  第一ノズル空気流出口
５２８ｂ  第二ノズル空気流出口
５２９    ディフューザ面
５３０    隔壁
５３４ａ  第一コアンダ面
５３４ｂ  第二コアンダ面
６０      送風機
６１      基部
６１１    内部ファン
６１２    基部空気流入口
６１３    基部空気流出口
６２      ノズル
６２１    ノズル空気流入口
６２２    第一壁面
６２３    第二壁面
６２６    第一壁面外縁
６２７    第二壁面外縁
６２８ａ  第一ノズル空気流出口
６２８ｂ  第二ノズル空気流出口
６２９    ディフューザ面
６３０    隔壁
６３４ａ  第一コアンダ面
６３４ｂ  第二コアンダ面
７０      シロッコファン
７１      シロッコファン空気流出口
７２      シロッコファン空気流入口
７３      シロッコファン動翼
７４      シロッコファンモーター
８０      軸流ファン
８１      軸流ファン空気流出口
８２      軸流ファン空気流入口
８３      軸流ファン動翼
８４      軸流ファンモーター
９０      インペラファン
９１      インペラファン空気流出口
９２      インペラファン空気流入口
９３      インペラファン動翼
９４      インペラファンモーター
【図１】
0003213021.tif 000003
【図２】
0003213021.tif 000004
【図３】
0003213021.tif 000005
【図４】
0003213021.tif 000006
【図５】
0003213021.tif 000007
【図６】
0003213021.tif 000008
【図７】
0003213021.tif 000009
【図８】
0003213021.tif 000010
【図９】
0003213021.tif 000011
【図１０】
0003213021.tif 000012
【図１１】
0003213021.tif 000013
【図１２】
0003213021.tif 000014
【図１３】
0003213021.tif 000015